(57)【要約】【課題】同一構造を必要に応じて様々な形態の家具に変化させることができる組立式家具構造を提供する。【解決手段】組立式家具構造は、板体１及び欄干２を備える。前記板体１は、厚さ方向で貫通された複数の挿入孔１１を有する。前記欄干２は、同一辺に位置する複数の挿入ピン２１を有する。前記板体１の前記挿入孔１１を選択し、前記挿入ピン２１を対応させて挿入させ、前記板体１上の前記欄干２の位置を調整して家具の形態を変化させる。前記板体１は、縦長矩形を呈するとともに、底部に脚部１２を有する。前記挿入孔１１は、前記板体１にマトリクス状に配列される。前記板体１の数は複数である。前記板体１は、並べて当接される。前記欄干２の数は複数である。前記挿入ピン２１は、前記板体１にそれぞれ挿設される。【選択図】図１
0003217345.tif 000002
【実用新案登録請求の範囲】
【請求項１】
板体及び欄干を備えた組立式家具構造であって、
前記板体は、厚さ方向で貫通された複数の挿入孔を有し、
前記欄干は、同一辺に位置する複数の挿入ピンを有し、
前記板体の前記挿入孔を選択し、前記挿入ピンを対応させて挿入させ、前記板体上の前記欄干の位置を調整して家具の形態を変化させることを特徴とする組立式家具構造。
【請求項２】
前記板体は、縦長矩形を呈するとともに、底部に脚部を有し、
前記挿入孔は、前記板体にマトリクス状に配列されることを特徴とする請求項１に記載の組立式家具構造。
【請求項３】
前記板体の数は複数であり、
前記板体は、並べて当接され、
前記欄干の数は複数であり、
前記挿入ピンは、前記板体にそれぞれ挿設されることを特徴とする請求項２に記載の組立式家具構造。
【請求項４】
前記板体が並べて当接され、
前記欄干は、少なくとも２つの前記板体に掛け渡され、
前記板体の前記挿入孔には、前記挿入ピンが挿入され、互いに当接された前記板体が固定されることを特徴とする請求項３に記載の組立式家具構造。
【請求項５】
前記欄干には、クッションが外嵌され、
前記クッションの底部には、当接可能な係合部材が設けられ、
前記クッションは、底部に設けられた前記係合部材により、嵌設される前記欄干の底部に係合されることを特徴とする請求項１に記載の組立式家具構造。
【請求項６】
前記板体上の前記欄干により画成された空間には、少なくとも１つのクッションが設置されることを特徴とする請求項１に記載の組立式家具構造。
【請求項７】
前記板体が有する前記挿入孔は、多角形又は円形であり、
前記挿入ピンの形状は、多角形又は円形の前記挿入孔に対応し、
前記欄干は、円形の前記挿入孔に挿入された前記挿入ピンを軸として揺動可能であることを特徴とする請求項１に記載の組立式家具構造。
【請求項８】
前記欄干の底部には、線又は管を収容する溝部が、前記板体に沿って延びて形成されていることを特徴とする請求項１に記載の組立式家具構造。
【考案の詳細な説明】
【技術分野】
【０００１】
本考案は、家具に関し、特に、組立式家具構造に関する。
【背景技術】
【０００２】
図１０に示すように、従来の三人掛ソファー９１は、一般の家庭で客間に置く家具であり、ユーザはソファー９１に座って使用することができる。しかしソファー９１は、全体構造が固定されていたため、設置場所を移動することしかできず、必要に応じてその形態を変化させることはできなかった。上述したソファー９１だけでなく、よく見かけるベッド、机、椅子なども設置場所を変化させることしかできず、必要に応じてその形態を変化させることはできなかった。
【０００３】
そのため、上述したように家具の形態を変化させることができないという従来技術の問題点を改善する技術が求められていた。
【考案の概要】
【考案が解決しようとする課題】
【０００４】
本考案の主な目的は、同一構造を必要に応じて様々な形態の家具に変化させることができる組立式家具構造を提供することにある。
【課題を解決するための手段】
【０００５】
上記課題を解決するために、本考案の第１の形態によれば、板体及び欄干を備えた組立式家具構造であって、前記板体は、厚さ方向で貫通された複数の挿入孔を有し、前記欄干は、同一辺に位置する複数の挿入ピンを有し、前記板体の前記挿入孔を選択し、前記挿入ピンを対応させて挿入させ、前記板体上の前記欄干の位置を調整して家具の形態を変化させることを特徴とする組立式家具構造が提供される。
【０００６】
前記板体は、縦長矩形を呈するとともに、底部に脚部を有し、前記挿入孔は、前記板体にマトリクス状に配列されることが好ましい。
【０００７】
前記板体の数は複数であり、前記板体は、並べて当接され、前記欄干の数は複数であり、前記挿入ピンは、前記板体にそれぞれ挿設されることが好ましい。
【０００８】
前記板体が並べて当接され、前記欄干は、少なくとも２つの前記板体に掛け渡され、前記板体の前記挿入孔には、前記挿入ピンが挿入され、互いに当接された前記板体が固定されることが好ましい。
【０００９】
前記欄干には、クッションが外嵌され、前記クッションの底部には、当接可能な係合部材が設けられ、前記クッションは、底部に設けられた前記係合部材により、嵌設される前記欄干の底部に係合されることが好ましい。
【００１０】
前記板体上の前記欄干により画成された空間には、少なくとも１つのクッションが設置されることが好ましい。
【００１１】
前記板体が有する前記挿入孔は、多角形又は円形であり、前記挿入ピンの形状は、多角形又は円形の前記挿入孔に対応し、前記欄干は、円形の前記挿入孔に挿入された前記挿入ピンを軸として揺動可能であることが好ましい。
【００１２】
前記欄干の底部には、線又は管を収容する溝部が、前記板体に沿って延びて形成されていることが好ましい。
【図面の簡単な説明】
【００１３】
【図１】図１は、本考案の一実施形態に係る組立式家具構造を一人掛椅子に変化させた状態を示す斜視図である。
【図２】図２は、本考案の一実施形態に係る組立式家具構造を二人掛椅子に変化させた状態を示す斜視図である。
【図３】図３は、図１の板体及び欄干にクッションを取付けた状態を示す斜視図である。
【図４】図４は、本考案の一実施形態に係る組立式家具構造をロングタイプのソファーに変化させた状態（１）を示す斜視図である。
【図５】図５は、本考案の一実施形態に係る組立式家具構造をロングタイプのソファーに変化させた状態（２）を示す斜視図である。
【図６】図６は、本考案の一実施形態に係る組立式家具構造をロングタイプのソファーに変化させた状態（３）を示す斜視図である。
【図７】図７は、本考案の一実施形態に係る組立式家具構造をベッドに変化させた状態を示す斜視図である。
【図８】図８は、本考案の一実施形態に係る組立式家具構造をベビーベッドに変化させた状態を示す斜視図である。
【図９】図９は、図８のベビーベッドの欄干が揺動可能な状態を示す斜視図である。
【図１０】図１０は、従来の三人掛けソファーを示す斜視図である。
【考案を実施するための形態】
【００１４】
以下、本考案の実施形態について図１〜図９に基づいて説明する。なお、これによって本考案が限定されるものではない。
【００１５】
図１を参照する。図１に示すように、本考案の一実施形態に係る組立式家具構造は、少なくとも板体１及び欄干２から構成されてなる。板体１は、複数の挿入孔１１を有する。これら複数の挿入孔１１は、板体１の厚さ方向で貫通される。欄干２は、複数の挿入ピン２１を有する。これら複数の挿入ピン２１は、欄干２の同一辺に位置する。本実施形態の板体１は、縦長矩形であり、底部に脚部１２を有する。複数の挿入孔１１は、板体１にマトリクス状に配列されるとともに、四辺形状である。欄干２の挿入ピン２１は、四辺形を呈して挿入孔１１の四角形の形状に対応する。
【００１６】
欄干２を板体１に取り付ける際、板体１の挿入孔１１を選択し、挿入ピン２１を対応させて挿入させる。本実施形態の欄干２は、２つの挿入ピン２１を有する。これら２つの挿入ピン２１の間隔は、板体１の４つの直線状に配列された挿入孔１１の間隔に対応するため、欄干２は、板体１上において直線方向で間隔をおいて形成された何れか２つの挿入孔１１を選択して挿入させてもよい。図１に示すように、板体１をシートとして用い、欄干２を板体１の一辺に設けて背凭れとして用い、板体１と欄干２とを組み合わせて一般の一人掛椅子を製作してもよい。図２に示すように、板体１を同様にシートとして用いてもよく、欄干２を板体１の中央部に設けて両辺を区分けし、板体１と欄干２との組み合わせにより、背中合わせの二人掛椅子を製作してもよい。そのため、板体１上で欄干２の位置を調整して家具の形態を変えてもよい。
【００１７】
図３を参照する。図３に示すように、ユーザが座ったときの快適度を高めるために、本実施形態では、欄干２には、クッション２２が外嵌される。クッション２２の底部には、当接可能な係合部材２２１が設けられ、面ファスナを例にとり説明すると、クッション２２は、底部に設けられた係合部材２２１により、嵌設される欄干２の底部に係合される。また、各図面に示すように、板体１上の欄干２により画成された空間には、人が座ることができるように少なくとも１つのクッション１３が設置され、座ったときの快適度を高めることができる。
【００１８】
本考案の他の実施形態では、板体１の数は複数でもよく、複数の板体１は、並べて当接される。欄干２の数は複数でもよく、前述した挿入ピン２１を複数の板体１に挿設させてもよい。
【００１９】
図４を参照する。図４に示すように、２つの縦長矩形の板体１は、短辺を突き合わせて当接させてもよい。複数の欄干２は、２つの板体１を当接させて形成した長辺及び２つの短辺を取り囲むように設けられ、多人数で座る縦長状のソファーに成形してもよい。
【００２０】
図５を参照する。図５に示すように、同様に２つの縦長矩形の板体１は、短辺を突き合わせて当接させてもよい。当接する２つの板体１に形成した２つの短辺には、欄干２がそれぞれ設けられ、形成した長辺には、２つの板体１に欄干２が掛け渡されるとともに、欄干２を２つの板体１上に掛け渡し、複数の挿入ピン２１を、間隔をおいて形成された複数の挿入孔１１に挿入し、互いに当接された複数の板体１を固定し、図４と異なる形態の縦長矩形のソファーを製作してもよい。
【００２１】
図６を参照する。図６に示すように、２つの板体１は、そのうち一方の長辺と、他方の短辺とを突き合わせて当接させ、各板体１上に欄干２を設ける他、２つの板体１に欄干２を掛け渡し、互いに当接された２つの板体１を固定し、図４及び図５と異なる形態の縦長ソファーを製作してもよい。
【００２２】
図７を参照する。図７に示すように、２つの縦長矩形の板体１は、短辺を突き合わせて当接させ、２つの板体１に２つの欄干２を掛け渡し、上述したように、互いに当接された２つの板体１を固定してベッドタイプの家具に変え、ベッドボードとして用いる欄干２を設置し、ユーザは２つの板体１で形成した床板上に横たわることができる。また、ヘッドボードとして用いる欄干の後方には、スピーカー３を設置してもよい。２つの板体１の底部には、線又は管を収容する溝部１４が、板体１に沿って延びて形成され、スピーカー３に給電する電源線及び信号線を溝部１４中に収容してもよい。
【００２３】
上述した板体１は、挿入孔１１の形状が正方形でもよいし、図８に示すように多角形又は円形でもよく、挿入ピン２１の形状を多角形の挿入孔１１の欄干２に対応させてもよいし、挿入ピン２１の形状を円形の挿入孔１１の欄干２に対応させてもよい。欄干２を円形の挿入孔１１に挿入する挿入ピン２１を軸として用い、図９に示すように揺動可能にしてベビーベッドを製作し、固定する欄干２により取り囲んで形成される空間に乳幼児を寝かせ、揺動可能な欄干をベビーベッドの扉として用いてもよい。
【００２４】
上述したことから分かるように、本考案の長所は、板体１上に設置する欄干２の位置を変えて異なる形態の家具にすることができる上、複数の板体１を当接させ、欄干２の数及び取付け位置を変化させて前述した異なる形態の家具に大きく変化させることもできる。そのため、ユーザは家具の必要に応じて適宜な数の板体１及び欄干２を選択し、いつでも必要な形態の家具を組立て、必要に応じて家具の形態を変化させることができる。
【符号の説明】
【００２５】
１  板体
２  欄干
３  スピーカー
１１  挿入孔
１２  脚部
１３  クッション
１４  溝部
２１  挿入ピン
２２  クッション
９１  ソファー
２２１  係合部材
【図１】
0003217345.tif 000003
【図２】
0003217345.tif 000004
【図３】
0003217345.tif 000005
【図４】
0003217345.tif 000006
【図５】
0003217345.tif 000007
【図６】
0003217345.tif 000008
【図７】
0003217345.tif 000009
【図８】
0003217345.tif 000010
【図９】
0003217345.tif 000011
【図１０】
0003217345.tif 000012